(57)【要約】【課題】取り外しが容易で素早く交換できる印刷ローラの構造を提供する。【解決手段】印刷ローラと、印刷ローラを挿通させて位置決めをする貫通孔を穿設した左固定座、右固定座と、該左固定座の外側に設けるベアリングとを含み、左固定座に穿設する貫通孔の周囲にはネジ孔を穿設してボルトを挿通させ、該印刷ローラは内部回転桿と版銅とを具え、該内部回転桿と、該版胴の一端には、該版胴と該内部回転桿との相対的な位置を調整し、印刷の正確度を高めるための微調整手段を設け、該ベアリングは同心軸で該印刷ローラに連結し、更に軸受金、パッキング、カラー、スリーブ、当接軸をそれぞれ設け、且つ該ベアリングの外周面には2つの耳部を形成し、該耳部には大小異なる円形が連結した瓢箪状の孔部を穿設し、該孔部と該左固定座の貫通孔の周囲に穿設したネジ孔にボルトを挿通させる。【選択図】図２
0003113215.tif 000002
【実用新案登録請求の範囲】
【請求項１】
左固定座と、右固定座と、該左固定座と、右固定座とを挿通する印刷ローラと、該左固定座の外側に設けるベアリングとを含む印刷ローラの構造において、
該左固定座と、右固定座とにはそれぞれ該印刷ローラを挿通させて位置決めをする貫通孔を穿設し、且つ該左固定座に穿設する貫通孔の周囲にはネジ孔を穿設してボルトを挿通させ、
該印刷ローラは内部回転桿と、版銅とを具え、該内部回転桿と、該版胴の一端には、該版胴と該内部回転桿との相対的な位置を調整し、印刷の正確度を高めるための微調整手段を設け、
該ベアリングは同心軸で該印刷ローラに連結し、更に軸受金、パッキング、カラー、スリーブ、当接軸をそれぞれ設け、且つ該ベアリングの外周面には2つの耳部を形成し、該耳部には大小異なる円形が連結した瓢箪状の孔部を穿設し、該孔部と該左固定座の貫通孔の周囲に穿設したネジ孔にボルトを挿通させることを特徴とする印刷ローラの構造。
【請求項２】
前記内部回転桿には複数のロック溝を形成してロック部材を設け、且つ該版銅の内壁の対応する位置には係合溝を形成して該印刷ローラと該内部回転桿31とを係合し、該印刷ローラが該内部回転桿の動作に連動して回転するように構成することを特徴とする請求項1に記載の印刷ローラの構造。
【請求項３】
前記スリーブの一端の外周面に、該印刷ローラの軸方向の微調整に供する目盛りを形成することを特徴とする請求項１に記載の印刷ローラの構造。
【考案の詳細な説明】
【技術分野】
【０００１】
この考案は、印刷用の印刷ローラの構造の改良に関する。
【背景技術】
【０００２】
商品などの包装ついて、これを美化するように消費者から常に要求がある。印刷業者はこれに応えるために全自動モールディング機を応用して、各種の紙箱、紙袋などを高速で大量に生産している。マーケットの膨大なニーズを満たすために、少なからぬ数のローラ・モールディング印刷機が市場に出現している。これは高速の自働生産を達成するために、サイズの異なるモールディング、異なる厚さの印刷用紙材、異なる印刷応力に対応して異なる直径の印刷ローラを使用しなければならない。
【０００３】
従来のモールディングローラ構造は、そのほとんどの構造が内ローラ軸に版胴を組み合わせて構成する。但し、関連する部品の数が極めて多く、構造が複雑である。版胴を交換する場合、経験有する技術者によって、ボルト、ピン、スリーブ、ベアリング取り付け座、ロック装置などを一々取り外さなければならない。版胴を取り替えた後、逆の手順で取り付けなければならず、更に印刷の精度と品質を高めるために、取り付けが完成した後、校正を行わなければならない。
【０００４】
図1に、目下市販されている印刷ローラセット１を開示する。図面に開示する印刷ローラの構造は、これよりも以前に使用されていた初期の頃の印刷ローラに比して構造が簡略化されている。但し、版胴10を取り外す過程において、ボルト11、位置決めピン12を取り外し、ストッパープレート13、ストッパーリング14などを取り外して初めて版胴10を取り外すことができる。このように部品が多いと交換する作業に時間と労力を必要とする以外に機械全体の信頼性も低下し、印刷する場合、容易に誤差が発生する。このため、印刷の品質に影響を与え、甚だしくは機械が止まる場合がある.
【考案の開示】
【考案が解決しようとする課題】
【０００５】
この考案は、印刷ローラを交換する場合、取り外しが容易で素早く行うことのできる印刷ローラの構造を提供することを課題とする。
【課題を解決するための手段】
【０００６】
そこで、本考案者は従来の技術に見られる欠点に鑑み鋭意研究を重ねた結果、左固定座と、右固定座と、該左固定座と、右固定座とを挿通する印刷ローラと、該左固定座の外側に設けるベアリングとを含んでなり、該左固定座と、右固定座とにはそれぞれ該印刷ローラを挿通させて位置決めをする貫通孔を穿設し、且つ該左固定座に穿設する貫通孔の周囲にはネジ孔を穿設してボルトを挿通させ、該印刷ローラは内部回転桿と、版銅とを具え、該内部回転桿と、該版胴の一端には、該版胴と該内部回転桿との相対的な位置を調整し、印刷の正確度を高めるための微調整手段を設け、該ベアリングは同心軸で該印刷ローラに連結し、更に軸受金、パッキング、カラー、スリーブ、当接軸をそれぞれ設け、且つ該ベアリングの外周面には2つの耳部を形成し、該耳部には大小異なる円形が連結した瓢箪状の孔部を穿設し、該孔部と該左固定座の貫通孔の周囲に穿設したネジ孔にボルトを挿通させる印刷ローラの構造によって課題を解決できる点に着眼し、かかる知見に基づいて本発明を完成させた。
【０００７】
以下、この考案について具体的に説明する。
請求項１に記載する印刷ローラの構造は、左固定座と、右固定座と、該左固定座と、右固定座とを挿通する印刷ローラと、該左固定座の外側に設けるベアリングとを含んでなり、
該左固定座と、右固定座とにはそれぞれ該印刷ローラを挿通させて位置決めをする貫通孔を穿設し、且つ該左固定座に穿設する貫通孔の周囲にはネジ孔を穿設してボルトを挿通させ、
該印刷ローラは内部回転桿と、版銅とを具え、該内部回転桿と、該版胴の一端には、該版胴と該内部回転桿との相対的な位置を調整し、印刷の正確度を高めるための微調整手段を設け、
該ベアリングは同心軸で該印刷ローラに連結し、更に軸受金、パッキング、カラー、スリーブ、当接軸をそれぞれ設け、且つ該ベアリングの外周面には2つの耳部を形成し、該耳部には大小異なる円形が連結した瓢箪状の孔部を穿設し、該孔部と該左固定座の貫通孔の周囲に穿設したネジ孔にボルトを挿通させる。
【０００８】
請求項2に記載する印刷ローラの構造は、請求項1における内部回転桿に複数のロック溝を形成してロック部材を設け、且つ該版銅の内壁の対応する位置には係合溝を形成して該印刷ローラと該内部回転桿31とを係合し、該印刷ローラが該内部回転桿の動作に連動して回転するように構成する。
【０００９】
請求項3に記載する印刷ローラの構造は、請求項1におけるスリーブの一端の外周面に、該印刷ローラの軸方向の微調整に供する目盛りを形成する。
【考案の効果】
【００１０】
本考案の印刷ローラの構造は、簡易な作業で印刷ローラを素早く交換することができ、且つ印刷の品質と精度を高めるという利点がある。
【考案を実施するための最良の形態】
【００１１】
この考案は、印刷ローラの構造の改良を提供するものであって、左固定座と、右固定座と、該左固定座と、右固定座とを挿通する印刷ローラと、該左固定座の外側に設けるベアリングとを含んでなり、該左固定座と、右固定座とにはそれぞれ該印刷ローラを挿通させて位置決めをする貫通孔を穿設し、且つ該左固定座に穿設する貫通孔の周囲にはネジ孔を穿設してボルトを挿通させ、該印刷ローラは内部回転桿と、版銅とを具え、該内部回転桿と、該版胴の一端には、該版胴と該内部回転桿との相対的な位置を調整し、印刷の正確度を高めるための微調整手段を設け、該ベアリングは同心軸で該印刷ローラに連結し、更に軸受金、パッキシグ、カラー、スリーブ、当接軸をそれぞれ設け、且つ該ベアリングの外周面には2つの耳部を形成し、該耳部には大小異なる円形が連結した瓢箪状の孔部を穿設し、該孔部と該左固定座の貫通孔の周囲に穿設したネジ孔にボルトを挿通させて印刷ローラを構成することによって、簡易な作業で印刷ローラを素早く交換できるようにするという目的を実現した。
係る構成の印刷ローラについて、その構造と特徴を詳述するために具体的な実施例を挙げ、以下に説明する。
【実施例】
【００１２】
図2に開示するように、この考案による印刷ローラセット2は、少なくとも左固定座20と、右固定座21とを含んでなり、かつそれぞれの固定座には印刷ローラを挿通させ、位置決めをする貫通孔201、211を穿設する。また、左固定座20に穿設する貫通孔201の周囲にはネジ孔202を穿設し、ボルト203を挿通させる。
【００１３】
左固定座20と、右固定座21とを挿通する印刷ローラ30は、内部回転桿31と、版銅32とを具える。内部回転桿31には複数のロック溝311を形成し、ロック部材312を設ける。また、版銅32の内壁の対応する位置には係合溝321を形成する。係る構造によって印刷ローラ30と内部回転桿31とが係合し、印刷ローラ30が内部回転桿31の動作に連動して回転する。
【００１４】
印刷ローラ30と内部回転桿31とを係合させる揚合、別途カラー、パッキングなどの関連する部材を取り付けて完全な印刷ローラを構成する。また、内部回転桿31と、版胴32の一端には微調整手段33を設け、版胴32と内部回転桿31との相対的な位置を調整し、印刷の正確度を高めるようにする。
【００１５】
左固定座20の外側に設けるベアリング40を設け、ベアリング40は同心軸で印刷ローラ30に連結し、更に軸受金41、パッキング42、カラー43、スリーブ44、当接軸45をそれぞれ設ける。ベアリング40の外周面には2つの耳部401を形成し、耳部401に大小異なる円形が連結した瓢箪状の孔部402を穿設する。また、孔部402と左固定座20の貫通孔201の周囲に穿設したネジ孔202にボルト203を挿通させる、スリーブ44の一端の外周面には目盛り441を形成し、印刷ローラの軸方向の微調整に供する。
【００１６】
上述する印刷ローラセット2は、印刷ローラ30の版胴32を交換する場合、図3に開示するようにベアリング40と左固定座20とを係合させて位置決めするか、もしくは解放することによって印刷ローラ30を素早く外し、版胴32を交換することができる。実際に操作する場合、左固定座20のボルト23を弛め、ベアリング40の外周に形成した耳部401の孔部402を貫通するボルトを孔部402の小さい孔から一方の大きい孔へ移動させる。このため、ボルト203が孔部402から外れるようになり、印刷ローラ30全体を引き出して版胴32を取り外す作業が容易になる。逆の操作を行う場合、図4に開示するように版胴302を交換した印刷ローラ30を左固定座20の貫通孔201から挿入し、ベアリング40の耳部401の孔部402の大きい方の孔にボルト203を挿通し、ベアリング40を回転させてボルト203を孔部402の大きいほうの孔から小さいほうの孔に移動させる。更に、工具を用いてボルト203を締結することによって組立てを完成させることができる。
【００１７】
以上の説明から明らかなように、この考案による印刷ローラの構造はボルトと大小の円を連結した瓢箪状の孔部とを組み合わせることによって、簡易な構造で容易に着脱できるという効果を達成することができる。印刷ローラを着脱する作業において、例えばレンチなどの工具を使用するだけで版胴を素早く取り外すことができる。
また、この考案は、複数の複雑な部品を一体に整合することによって校正、組立てにおける手間を省き、機械の信頼性と効率を高めることができる。よって、多種多様な印刷物を少量印刷するため、印刷ローラを頻繁に交換する印刷機にとって極めて実用的であり、便利である,
【００１８】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１９】
【図１】従来の印刷ローラの構造を示した説明図である
【図２】この考案による印刷ローラの分解図である。
【図３】図2に開示する印刷ローラを組立てた状態を示した斜視図である。
【図４】この考案による印刷ローラの着脱の動作を示した説明図である。
【符号の説明】
【００２０】
１  印刷ローラセット
１０  版胴
１１  ボルト
１２  位置決めピン
１３  ストッパープレート
１４  ストッパーリング
２  印刷ローラセット
２０  左固定座
２０１  貫通孔
２０２  ネジ孔
２０３  ボルト
２１  右固定座
２１１  貫通孔
３０  印刷ローラ
３１  内部回転桿
３１１  ロック溝
３１２  ロック部材
３２  版銅
３２１  係合溝
３３  微調整手段
４０  ベアリング
４０１  耳部
４０２  孔部
４１  軸受金
４２  パッキング
４３  カラー
４４  スリーブ
４４１  目盛り
４５  当接軸
【図１】
0003113215.tif 000003
【図２】
0003113215.tif 000004
【図３】
0003113215.tif 000005
【図４】
0003113215.tif 000006